(57)【特許請求の範囲】
【請求項１】
キャビネットベース(10)の表面に、１或いは複数枚の化粧パネル(31)(32)を接合してキャビネット(１)が構成されている小型電子機器において、
前記キャビネットベース(10)の内面に内装部品を固定するための少なくとも１本のねじ(17)が、該内装部品の端部及び前記キャビネットベース(10)を貫通し、その先端部が前記化粧パネル(31)(32)に螺合して、該化粧パネル(31)(32)が前記キャビネットベース(10)に締結されており、
前記キャビネットベース(10)は、前面キャビネット半体(11)と背面キャビネット半体(12)とを互いに分離不能に締結して構成され、前記化粧パネル(31)(32)は、両キャビネット半体(11)(12)の内、何れか一方のキャビネット半体の表面に取り付けられており、
前記化粧パネル(31)(32)の外周端部には、前記キャビネットベース(10)に向けて複数の外周フック部(35a)〜(35d)が突設され、前記一方のキャビネット半体の外周端部には、前記化粧パネル(31)(32)の複数の外周フック部(35a)〜(35d)とそれぞれ係合する複数の外周フック受け部(24a)〜(24d)が、前記外周フック部(35a)〜(35d)の内側に他方のキャビネット半体に向けて突設され、
各外周フック受け部(24a)〜(24d)の先端の一部には、前記キャビネット(１)の外側に向けて第１鍔部(25)が突設されると共に、各外周フック部(35a)〜(35d)の先端には、前記第１鍔部(25)との対向領域を除く領域に、前記キャビネット(１)の内側に向けて第２鍔部(36)が突設され、前記化粧パネル(31)(32)が前記一方のキャビネット半体に取り付けられた状態で、各外周フック受け部(24a)〜(24d)の第１鍔部(25)が各外周フック部(35a)〜(35d)の先端面に係合すると共に、各外周フック部(35a)〜(35d)の第２鍔部(36)が各外周フック受け部(24a)〜(24d)の先端面に係合していることを特徴とする小型電子機器。
【請求項２】
キャビネットベース(10)の表面に、１或いは複数枚の化粧パネル(31)(32)を接合してキャビネット(１)が構成されている小型電子機器において、
前記キャビネットベース(10)の内面に内装部品を固定するための少なくとも１本のねじ(17)が、該内装部品の端部及び前記キャビネットベース(10)を貫通し、その先端部が前記化粧パネル(31)(32)に螺合して、該化粧パネル(31)(32)が前記キャビネットベース(10)に締結されており、
前記キャビネットベース(10)は、前面キャビネット半体(11)と背面キャビネット半体(12)とを互いに分離不能に締結して構成され、前記化粧パネル(31)(32)は、両キャビネット半体(11)(12)の内、何れか一方のキャビネット半体の表面に取り付けられており、
前記化粧パネル(31)(32)の外周端部には、前記キャビネットベース(10)に向けて複数の外周フック部(35a)〜(35d)が突設され、前記一方のキャビネット半体の外周端部には、前記化粧パネル(31)(32)のの複数の外周フック部(35a)〜(35d)とそれぞれ係合する複数の外周フック受け部(24a)〜(24d)が、前記外周フック部(35a)〜(35d)の内側に他方のキャビネット半体に向けて突設され、
前記化粧パネル(31)(32)が取り付けられた前記一方のキャビネット半体と他方のキャビネット半体とが互いに締結された状態で、前記化粧パネル(31)(32)の複数の外周フック部(35a)〜(35d)は、前記一方のキャビネット半体の複数の外周フック受け部(24a)〜(24d)と前記他方のキャビネット半体の内壁面との間に挟持されていることを特徴とする小型電子機器。
【請求項３】
前記化粧パネル(31)(32)の内面には、前記キャビネットベース(10)に向けて少なくとも１つのボス部(33)が突設されると共に、前記キャビネットベース(10)には、該ボス部(33)が貫通する貫通孔(18)が開設され、前記ボス部(33)には、該ボス部(33)の突設方向に沿ってねじ穴(33a)が開設され、該ねじ穴(33a)に前記ねじ(17)が螺合されている請求項１又は請求項２に記載の小型電子機器。
【請求項４】
前記化粧パネル(31)(32)の内面には、前記キャビネットベース(10)に向けて複数の内面フック部(34b)(34f)(34g)が突設され、前記キャビネットベース(10)には、前記複数の内面フック部(34b)(34f)(34g)がそれぞれ係合する複数の係合受け部が設けられている請求項１乃至請求項３の何れかに記載の小型電子機器。
【請求項５】
キャビネットベース(10)の表面に、１或いは複数枚の化粧パネル(31)(32)を接合してキャビネット(１)が構成されている小型電子機器において、
前記キャビネットベース(10)の内面に内装部品を固定するための少なくとも１本のねじ(17)が、該内装部品の端部及び前記キャビネットベース(10)を貫通し、その先端部が前記化粧パネル(31)(32)に螺合して、該化粧パネル(31)(32)が前記キャビネットベース(10)に締結されており、
前記キャビネットベース(10)は、前面キャビネット半体(11)と背面キャビネット半体(12)とを互いに分離不能に締結して構成され、前記化粧パネル(31)(32)は、両キャビネット半体(11)(12)の内、何れか一方のキャビネット半体の表面に取り付けられており、
前記化粧パネル(31)(32)の内面及び外周端部には、前記キャビネットベース(10)に向けて複数のフック部(34b)(34f)(34g)(35a)〜(35d)が突設され、前記キャビネットベース(10)には、前記複数のフック部(34b)(34f)(34g)(35a)〜(35d)がそれぞれ係合する複数の係合受け部が設けられ、
前記一方のキャビネット半体の外周端部には、前記化粧パネル(31)(32)の外周端部に突設された複数の外周フック部(35a)〜(35d)とそれぞれ係合する複数の外周フック受け部(24a)〜(24d)が、前記外周フック部(35a)〜(35d)の内側に他方のキャビネット半体に向けて突設され、
各外周フック受け部(24a)〜(24d)の先端の一部には、前記キャビネット(１)の外側に向けて第１鍔部(25)が突設されると共に、各外周フック部(35a)〜(35d)の先端には、前記第１鍔部(25)との対向領域を除く領域に、前記キャビネット(１)の内側に向けて第２鍔部(36)が突設され、前記化粧パネル(31)(32)が前記一方のキャビネット半体に取り付けられた状態で、各外周フック受け部(24a)〜(24d)の第１鍔部(25)が各外周フック部(35a)〜(35d)の先端面に係合すると共に、各外周フック部(35a)〜(35d)の第２鍔部(36)が各外周フック受け部(24a)〜(24d)の先端面に係合し、
前記化粧パネル(31)(32)が取り付けられた前記一方のキャビネット半体と他方のキャビネット半体とが互いに締結された状態で、前記化粧パネル(31)(32)の複数の外周フック部(35a)〜(35d)は、前記一方のキャビネット半体の複数の外周フック受け部(24a)〜(24d)と前記他方のキャビネット半体の内壁面との間に挟持されていることを特徴とする小型電子機器。
【発明の詳細な説明】
【技術分野】
【０００１】
本発明は、キャビネットの表面に化粧パネルが取り付けられている携帯電話機等の小型電子機器に関するものである。
【背景技術】
【０００２】
従来、美観の向上を図るべく、キャビネットの表面を複数の異なる色で色分けした携帯電話機が知られている(特許文献１参照)。
携帯電話機に用いられるキャビネットは一般に、合成樹脂製の一体成型品から構成され、例えば、キャビネットとなる一体成型品の所定の表面領域に、合成樹脂の色とは異なる色で塗装を施すことにより、２トーンカラーのキャビネットを構成することが出来る。
しかしながら、一体成型品の塗装時には、治具等を用いて塗装の必要でない領域を覆い隠す必要があり、このため、一体成型品には、色分けすべき複数の領域の境界に、前記治具を位置決めするための溝部を設ける必要があった。この結果、色分けすべき複数の領域の境界に溝部が介在することとなり、美観が損なわれる問題があった。
【０００３】
この問題を解決すべく、キャビネットベースと、該キャビネットベースとは色の異なる複数の化粧パネルとを互いに接合して、複数の異なる色で色分けされたキャビネットを構成した携帯電話機が知られている。
この場合、化粧パネルをキャビネットベースに取り付けるための取り付け構造としては、化粧パネルに設けたフック部と、キャビネットベースに設けたフック受け部とからなる係合構造(以下、フック構造という)が用いられる。
【特許文献１】特開２００３−１４３２６８号公報  [H04M 1/02]
【発明の開示】
【発明が解決しようとする課題】
【０００４】
ところで、上述のフック構造だけでは、ユーザが過って携帯電話機を床面に落下させたときに化粧パネルが外れてしまう虞があるため、化粧パネルとキャビネットベースとを互いに分離不能に接合する必要がある。
化粧パネルとキャビネットベースとを互いに分離不能に接合する方法としては、両面接着テープにより両者を接着する方法と、熱溶着により両者を接合する方法とが知られている。
しかしながら、両面接着テープにより両者を接着する方法では両面接着テープが、熱溶着により両者を接合する方法においては熱溶着装置がそれぞれ必要となるため、コストアップを招く問題があった。
そこで本発明の目的は、コストアップを招くことなく、化粧パネルとキャビネットベースとを互いに分離不能に接合することが出来る小型電子機器を提供することである。
【課題を解決するための手段】
【０００５】
本発明の小型電子機器は、キャビネットベース(10)の表面に、１或いは複数枚の化粧パネル(31)(32)を接合してキャビネット(１)が構成され、前記キャビネットベース(10)の内面に内装部品を固定するための少なくとも１本のねじ(17)が、該内装部品の端部及び前記キャビネットベース(10)を貫通し、その先端部が前記化粧パネル(31)(32)に螺合して、該化粧パネル(31)(32)が前記キャビネットベース(10)に締結されている。
具体的には、前記化粧パネル(31)(32)の内面には、前記キャビネットベース(10)に向けて少なくとも１つのボス部(33)が突設されると共に、前記キャビネットベース(10)には、該ボス部(33)が貫通する貫通孔(18)が開設され、前記ボス部(33)には、該ボス部(33)の突設方向に沿ってねじ穴(33a)が開設され、該ねじ穴(33a)に前記ねじ(17)が螺合されている。
【０００６】
上記本発明の小型電子機器によれば、従来の小型電子機器においても必須構成部品であった前記キャビネットベース(10)の内面に内装部品を固定するためのねじ(17)を用いて、前記化粧パネル(31)(32)をキャビネットベース(10)に締結することが出来るので、前記化粧パネル(31)(32)とキャビネットベース(10)とを締結するための部品や製造設備を新たに追加する必要はない。従って、コストアップを招くことなく、化粧パネル(31)(32)とキャビネットベース(10)とを互いに分離不能に接合することが出来る。
【０００７】
具体的構成において、前記化粧パネル(31)(32)の内面及び外周端部には、前記キャビネットベース(10)に向けて複数のフック部(34b)(34f)(34g)(35a)〜(35d)が突設され、前記キャビネットベース(10)には、前記複数のフック部(34b)(34f)(34g)(35a)〜(35d)がそれぞれ係合する複数のフック受け部が設けられている。
【０００８】
該具体的構成によれば、組立工程において先ず、化粧パネル(31)(32)は、内面及び外周端部に突設された複数のフック部(34b)(34f)(34g)(35a)〜(35d)と、キャビネットベース(10)の複数のフック受け部とが互いに係合して、キャビネットベース(10)上の所定位置に仮止めされる。その後、前記ねじ(17)を用いてキャビネットベース(10)の内面に前記内装部品を締結することによって、該ねじ(17)が前記内装部品の端部及び前記キャビネットベース(10)を貫通すると共に、その先端部が前記化粧パネル(31)(32)に螺合して、該化粧パネル(31)(32)と前記キャビネットベース(10)とが、互いに分離不能に締結されることになる。
【０００９】
又、具体的構成において、前記キャビネットベース(10)は、前面キャビネット半体(11)と背面キャビネット半体(12)とを互いに分離不能に締結して構成され、前記化粧パネル(31)(32)は、両キャビネット半体(11)(12)の内、何れか一方のキャビネット半体の表面に取り付けられており、該一方のキャビネット半体の外周端部には、前記化粧パネル(31)(32)の外周端部に突設された複数の外周フック部(35a)〜(35d)とそれぞれ係合する複数の外周フック受け部(24a)〜(24d)が、前記外周フック部(35a)〜(35d)の内側に他方のキャビネット半体に向けて突設され、各外周フック受け部(24a)〜(24d)の先端の一部には、前記キャビネット(１)の外側に向けて第１鍔部(25)が突設されると共に、各外周フック部(35a)〜(35d)の先端には、前記第１鍔部(25)との対向領域を除く領域に、前記キャビネット(１)の内側に向けて第２鍔部(36)が突設されている。
【００１０】
前記化粧パネル(31)(32)が前記一方のキャビネット半体に取り付けられた状態で、各外周フック受け部(24a)〜(24d)の第１鍔部(25)が各外周フック部(35a)〜(35d)の先端面に係合すると共に、各外周フック部(35a)〜(35d)の第２鍔部(36)が各外周フック受け部(24a)〜(24d)の先端面に係合し、前記化粧パネル(31)(32)が取り付けられた前記一方のキャビネット半体と、他方のキャビネット半体とが互いに締結された状態で、前記化粧パネル(31)(32)の複数の外周フック部(35a)〜(35d)は、前記一方のキャビネット半体の複数の外周フック受け部(24a)〜(24d)と前記他方のキャビネット半体の内壁面との間に挟持されている。
【００１１】
該具体的構成によれば、前記化粧パネル(31)(32)が前記一方のキャビネット半体に取り付けられた状態で、該一方のキャビネット半体の各外周フック受け部(24a)〜(24d)の第１鍔部(25)が、化粧パネル(31)(32)の各外周フック部(35a)〜(35d)の先端面に係合すると共に、各外周フック部(35a)〜(35d)の第２鍔部(36)が、各外周フック受け部(24a)〜(24d)の先端面に係合することにより、両化粧パネル(31)(32)を前記一方のキャビネット半体から取り外す方向の力に対して、大きな抗力が発揮されることになる。
又、前面キャビネット半体(11)と背面キャビネット半体(12)とが互いに分離不能に締結されており、且つ化粧パネル(31)(32)の各外周フック部(35a)〜(35d)が、前記一方のキャビネット半体の各外周フック受け部(24a)〜(24d)と、他方のキャビネット半体の内壁面との間で挟持されているので、ユーザが過って携帯電話機を床面に落下させたとしても、化粧パネル(31)(32)の外周フック部(35a)〜(35d)と前記一方のキャビネット半体の外周フック受け部(24a)〜(24d)との係合が外れてしまうことはない。
【発明の効果】
【００１２】
本発明に係る小型電子機器によれば、コストアップを招くことなく、化粧パネルとキャビネットベースとを互いに分離不能に接合することが出来る。
【発明を実施するための最良の形態】
【００１３】
以下、本発明を携帯電話機に実施した形態につき、図面に沿って具体的に説明する。
図１に示す如く、本発明の携帯電話機は、第１キャビネット(１)と第２キャビネット(４)とをヒンジ機構(41)を介して互いに開閉可能に連結して構成される。第１キャビネット(１)の第２キャビネット(４)との対向面には、液晶ディスプレイ(14)が配備されると共に、第２キャビネット(４)の第１キャビネット(１)との対向面には、複数の操作釦(42)〜(42)が配備されている。
図２に示す如く、第１キャビネット(１)は、前面キャビネット半体(11)と背面キャビネット半体(12)とを互いに接合したキャビネットベース(10)と、背面キャビネット半体(12)の表面に取り付けられた２枚の化粧パネル(31)(32)とから構成される。２枚の化粧パネル(31)(32)はそれぞれ、背面キャビネット半体(12)とは異なる色に着色されている。
【００１４】
図３に示す如く、第１キャビネット(１)の内部には、液晶ディスプレイ(14)が実装されたディスプレイ基板(13)が配備され、前面キャビネット半体(11)には、液晶ディスプレイ(14)を露出させるための露出窓(11b)が開設されている。又、図３及び図５に示す如く、背面キャビネット半体(12)の内面には、スピーカユニット(15)が取り付けられている。
図３に示す如く、前面キャビネット半体(11)、ディスプレイ基板(13)及び背面キャビネット半体(12)は、４本のねじ(16)〜(16)により互いに分離不能に締結されており、前面キャビネット半体(11)及びディスプレイ基板(13)の４隅には、４本のねじ(16)〜(16)がそれぞれ貫通する小孔(11a)〜(11a)(13a)〜(13a)が開設されると共に、背面キャビネット半体(12)の内面の４隅には、前面キャビネット半体(11)に向けて円柱状のボス部(12a)〜(12a)が突設され、各ねじ(16)の先端が螺合するねじ穴が、各ボス部(12a)の中心軸に沿って開設されている。
【００１５】
図４及び図６に示す如く、背面キャビネット半体(12)の表面には、第１キャビネット(１)の表面に露出する瓢箪型の露出部(21)が突設されており、該露出部(21)には、複数の放音孔(20)〜(20)と、カメラレンズ取付窓(22)とが開設されている。
２枚の化粧パネル(31)(32)は、背面キャビネット半体(12)の長手方向の中心軸上で互いに密着しており、２枚の化粧パネル(31)(32)の中央部にはそれぞれ、背面キャビネット半体(12)の露出部(21)を露出させるための露出窓(31a)(32a)が凹設されている。
【００１６】
図７に示す如く、背面キャビネット半体(12)の内面には、スピーカユニット(15)を収容するためのスピーカ収容部(19)が中央部に設けられ、該スピーカ収容部(19)内にスピーカユニット(15)が収容されている。スピーカユニット(15)の下端両側部には、該スピーカユニット(15)をスピーカ収容部(19)に固定するための２本のねじ(17)(17)がそれぞれ貫通する一対の小孔(15a)(15a)が開設されている。
２枚の化粧パネル(31)(32)の内面にはそれぞれ、背面キャビネット半体(12)に向けて円柱状のボス部(33)が突設され、各ボス部(33)には、その中心軸に沿って２本のねじ(17)(17)の先端部が螺合するねじ穴(33a)が開設されている。背面キャビネット半体(12)には、一対の円形の貫通孔(18)(18)が開設され、両貫通孔(18)(18)を２枚の化粧パネル(31)(32)のボス部(33)(33)がそれぞれ貫通することになる。
【００１７】
又、２枚の化粧パネル(31)(32)の内面にはそれぞれ、背面キャビネット半体(12)に向けて複数の内面フック部(34b)(34f)(34g)と、複数の位置決めリブ(34a)(34c)(34d)(34e)とが突設され、背面キャビネット半体(12)には、図８に示す如く、該複数の内面フック部(34b)(34f)(34g)及び複数の位置決めリブ(34a)(34c)(34d)(34e)がそれぞれ係合する複数の係合孔(23a)〜(23g)が開設されている。
更に、図７に示す如く、背面キャビネット半体(12)の外周端部には、前面キャビネット半体(11)に向けて複数の外周フック受け部(24a)〜(24d)が突設されると共に、両化粧パネル(31)(32)の外周端部にはそれぞれ、複数の外周フック受け部(24a)〜(24d)の外側を覆う複数の外周フック部(35a)〜(35d)が前面キャビネット半体(11)に向けて突設されている。
【００１８】
図９及び図１０に示す如く、背面キャビネット半体(12)の各外周フック受け部(24a)〜(24d)の先端の一部には、第１キャビネット(１)の外側に向けて第１鍔部(25)が突設されると共に、両化粧パネル(31)(32)の各外周フック部(35a)〜(35d)の先端には、第１鍔部(25)との対向領域を除く領域に、第１キャビネット(１)の内側に向けて第２鍔部(36)が突設されている。
図１０に示す如く、両化粧パネル(31)(32)が背面キャビネット半体(12)に取り付けられた状態で、背面キャビネット半体(12)の各外周フック受け部(24a)〜(24d)の第１鍔部(25)が、両化粧パネル(31)(32)の各外周フック部(35a)〜(35d)の先端面に係合すると共に、各外周フック部(35a)〜(35d)の第２鍔部(36)が、各外周フック受け部(24a)〜(24d)の先端面に係合することになる。これにより両化粧パネル(31)(32)を背面キャビネット半体(12)から取り外す方向の力に対して、大きな抗力が発揮されることになる。
【００１９】
携帯電話機の組立工程において、両化粧パネル(31)(32)はそれぞれ、図８に示す複数の内面フック部(34b)(34f)(34g)及び複数の位置決めリブ(34a)(34c)(34d)(34e)と背面キャビネット半体(12)の複数の係合孔(23a)〜(23g)との係合と、図７及び図１０に示す複数の外周フック部(35a)〜(35d)と背面キャビネット半体(12)の複数の外周フック受け部(24a)〜(24d)との係合とによって、背面キャビネット半体(12)上の所定位置に仮止めされた後、図７に示す如く、背面キャビネット半体(12)の内面にスピーカユニット(15)を取り付けるための２本のねじ(17)(17)によって互いに分離不能に締結される。従って、ユーザが過って携帯電話機を床面に落下させたとしても、両化粧パネル(31)(32)が背面キャビネット半体(12)から外れてしまうことはない。
【００２０】
携帯電話機の組立工程においては、図１１に示す如く両化粧パネル(31)(32)を背面キャビネット半体(12)の表面に締結した後、該背面キャビネット半体(12)を前面キャビネット半体(11)に締結する。
図１２は、図１１のＡ−Ａ線に沿う第１キャビネット(１)の断面を示しており、図１３は、図１２のＢ部を拡大して示している。
尚、以下、一方の化粧パネル(32)の外周フック部(35b)について説明し、同等の構成を有する化粧パネル(32)の他の外周フック部(35a)(35c)(35d)、及び他の化粧パネル(31)の外周フック部(35a)〜(35d)についての説明は省略する。
図１３に示す如く、前面キャビネット半体(11)と背面キャビネット半体(12)とが互いに締結された状態において、化粧パネル(32)の外周フック部(35b)は、背面キャビネット半体(12)の外周フック受け部(24b)と、前面キャビネット半体(11)の内壁面との間で挟持されることになる。これによって外周フック部(35b)の係合離脱方向の変形が阻止される。
【００２１】
ここで、図３に示す如く、前面キャビネット半体(11)と背面キャビネット半体(12)とは、４本のねじ(16)〜(16)により互いに締結されているので、ユーザが過って携帯電話機を床面に落下させたとしても、両キャビネット半体(11)(12)が分離することはない。又、化粧パネル(32)の外周フック部(35b)が、背面キャビネット半体(12)の外周フック受け部(24b)と、前面キャビネット半体(11)の外周壁との間で挟持されているので、ユーザが過って携帯電話機を床面に落下させたとしても、化粧パネル(32)の外周フック部(35b)と背面キャビネット半体(12)の外周フック受け部(24b)との係合が外れてしまうことはない。
【００２２】
上述の如く、本発明の携帯電話機は、従来の携帯電話機においても必須構成部品であった背面キャビネット半体(12)の内面にスピーカユニット(15)を固定するための２本のねじ(17)(17)により、両化粧パネル(31)(32)を背面キャビネット半体(12)に締結しているので、両化粧パネル(31)(32)を背面キャビネット半体(12)に締結するための部品や製造設備を新たに追加する必要はない。従って、上記本発明の携帯電話機によれば、コストアップを招くことなく、化粧パネル(31)(32)と背面キャビネット半体(12)とを互いに分離不能に締結することが出来る。
【００２３】
尚、本発明の各部構成は上記実施の形態に限らず、特許請求の範囲に記載の技術的範囲内で種々の変形が可能である。例えば、本実施例においては、背面キャビネット半体(12)の内面にスピーカユニット(15)を固定するための２本のねじ(17)(17)により、両化粧パネル(31)(32)を背面キャビネット半体(12)に締結しているが、これに限らず、カメラユニットや回路基板等の他の内装部品を背面キャビネット半体(12)の内面に固定するねじを用いて、両化粧パネル(31)(32)を背面キャビネット半体(12)に締結する構成を採用することも可能である。又、２本のねじ(17)(17)の代わりに、ＥリングやＣリング等を両化粧パネル(31)(32)のボス部(33)(33)の先端に取り付けることにより抜け止めを施して、両化粧パネル(31)(32)を背面キャビネット半体(12)に締結する構成を採用することも可能である。
【図面の簡単な説明】
【００２４】
【図１】本発明の携帯電話機の開状態を示す斜視図である。
【図２】本発明の携帯電話機の閉状態を示す斜視図である。
【図３】第１キャビネットの分解斜視図である。
【図４】背面キャビネット半体に２枚の化粧パネルが取り付けられた状態を表面側から見た斜視図である。
【図５】背面キャビネット半体に２枚の化粧パネルが取り付けられた状態を裏面側から見た斜視図である。
【図６】表面側から見た背面キャビネット半体、２枚の化粧パネル及びスピーカユニットの分解斜視図である。
【図７】裏面側から見た背面キャビネット半体、２枚の化粧パネル及びスピーカユニットの分解斜視図である。
【図８】背面キャビネット半体に２枚の化粧パネルが取り付けられた状態を示す裏面図である。
【図９】背面キャビネット半体の外周フック受け部と化粧パネルの外周フック部とを拡大して示す斜視図である。
【図１０】背面キャビネット半体の外周フック受け部と化粧パネルの外周フック部の係合状態を拡大して示す斜視図である。
【図１１】背面キャビネット半体に２枚の化粧パネルが取り付けられた状態を示す平面図である。
【図１２】図１１のＡ−Ａ線に沿う断面図である。
【図１３】図１２のＢ部の拡大図である。
【符号の説明】
【００２５】
(１)  第１キャビネット
(10)  ベースキャビネット
(11)  前面キャビネット半体
(12)  背面キャビネット半体
(13)  ディスプレイ基板
(15)  スピーカユニット
(16)、(17)  ねじ
(18)  貫通孔
(23a)〜(23g)  係合孔
(24a)〜(24d)  外周フック受け部
(25)  第１鍔部
(31)、(32)  化粧パネル
(33)  ボス部
(34b)、(34f)、(34g)  内面フック部
(34a)、(34c)、(34d)、(34e)  位置決めリブ
(35a)〜(35d)  外周フック部
(36)  第２鍔部
(４)  第２キャビネット
【図１】
0004719557.tif 000002
【図２】
0004719557.tif 000003
【図３】
0004719557.tif 000004
【図４】
0004719557.tif 000005
【図５】
0004719557.tif 000006
【図６】
0004719557.tif 000007
【図７】
0004719557.tif 000008
【図８】
0004719557.tif 000009
【図９】
0004719557.tif 000010
【図１０】
0004719557.tif 000011
【図１１】
0004719557.tif 000012
【図１２】
0004719557.tif 000013
【図１３】
0004719557.tif 000014